(57)【特許請求の範囲】
【請求項１】
ハンドルパイプ（１２Ａ）に相対回転可能に組みつけられるスロットルグリップ（６５）と、
内燃機関（１４）に供給される空気量を調整するスロットルバルブ（４５Ｖ）と、
芯線（１０１Ｂ、１０２Ｂ）と芯線（１０１Ｂ、１０２Ｂ）を覆うケーブルアウタ（１０１Ａ、１０２Ａ）とを有し、芯線（１０１Ｂ、１０２Ｂ）の一側端部がスロットルグリップ（６５）に固定されるとともに、他側端部が前記スロットルバルブ（４５Ｖ）に固定され、前記スロットルグリップ（６５）の操作に応じて芯線（１０１Ｂ、１０２Ｂ）が引かれることにより前記スロットルバルブ（４５Ｖ）を作動させるスロットルケーブル（１０１、１０２）と、
前記スロットルケーブル（１０１、１０２）を保持するスロットルハウジング（６６）とを備える鞍乗り型車両の操作部構造において、
前記スロットルハウジング（６６）は、前記スロットルグリップ（６５）の一部を挟持し前記ハンドルパイプ（１２Ａ）に固定される分割構成であり、
前記スロットルハウジング（６６）に挟持され、前記ケーブルアウタ（１０１Ａ、１０２Ａ）から引き出された芯線（１０１Ｂ、１０２Ｂ）の屈曲部（１０１Ｃ、１０２Ｃ）をガイドするスライダ（９０）と、
前記スライダ（９０）に設けられるとともに、前記スロットルケーブル（１０１、１０２）の長手方向の移動を規制し、前記スロットルケーブル（１０１、１０２）を当該スライダ（９０）から分離可能に構成したケーブル保持部（９１、９２）を設け、
前記スロットルグリップ（６５）に、グリップ回転方向に面を持つストッパ部（６５Ｃ１、６５Ｃ２）を設け、
前記スライダ（６５）に、前記ストッパ部（６５Ｃ１、６５Ｃ２）が当接して前記スロットルグリップ（６５）の回転範囲を規制するストッパ受け部（９６、９７）を設けたことを特徴とする鞍乗り型車両の操作部構造。
【請求項２】
前記ストッパ部（６５Ｃ１、６５Ｃ２）及びストッパ受け部（９６、９７）の当接面は、前記スロットルグリップ（６５）の回転中心（Ｃ１）から径方向に延びる面に沿って形成されることを特徴とする請求項１に記載の鞍乗り型車両の操作部構造。
【請求項３】
前記スロットルケーブル（１０１、１０２）は、前記スロットルグリップ（６５）の開操作に応じて前記スロットルバルブ（４５Ｖ）を開き側に作動させる開き側ケーブル（１０１）と、前記スロットルグリップ（６５）の閉操作に応じて前記スロットルバルブ（４５Ｖ）を閉じ側に作動させる閉じ側ケーブル（１０２）とを備え、該２本のケーブル（１０１、１０２）が、前記スライダ（９０）の前記ケーブル保持部（９１、９２）に保持されることを特徴とする請求項１又は２に記載の鞍乗り型車両の操作部構造。
【請求項４】
前記ケーブル保持部（９１、９２）は、前記ケーブルアウタ（１０１Ａ、１０２Ａ）の端部を保持するとともに前記ケーブルアウタ（１０１Ａ、１０２Ａ）の端部を抜く際に前記ケーブルアウタ（１０１Ａ、１０２Ａ）の径方向に拡がる変形部（１１１）を有し、
前記スロットルハウジング（６６）は、前記変形部（１１１）を挟持して径方向への拡がりを規制することを特徴とする請求項１乃至３のいずれかに記載の鞍乗り型車両の操作部構造。
【請求項５】
前記ケーブルアウタ（１０１Ａ、１０２Ａ）の端部に、前記ケーブルアウタ（１０１Ａ、１０２Ａ）の外径よりも大きい外径のエンドキャップ（１２０）を設け、
前記ケーブル保持部（９１、９２）は、前記エンドキャップ（１２０）とともに前記ケーブルアウタ（１０１Ａ、１０２Ａ）が挿入される嵌合穴部（１１０）を有し、この嵌合穴部（１１０）の挿入側端部（１１１）は、前記エンドキャップ（１２０）の外径より小さい穴径に形成されるとともにケーブル長手方向に沿うスリット（１１３）が設けられて拡径可能に形成され、
前記スロットルハウジング（６６）が前記嵌合穴部（１１０）を挟持することによって、前記ケーブル保持部（９１、９２）の径方向への拡がりを規制することを特徴とする請求項４に記載の鞍乗り型車両の操作部構造。
【請求項７】
前記スライダ（９０）と前記スロットルハウジング（６６）とを複数箇所で位置決めする位置決め係合部（９５、８３）を設け、前記スロットルグリップ（６５）の非作動状態では、前記位置決め係合部（９５、８３）以外で前記スライダ（９０）と前記スロットルハウジング（６６）とが離間することを特徴とする請求項１乃至５のいずれか一項に記載の鞍乗り型車両の操作部構造。
【請求項８】
前記エンドキャップ（１２０）に、前記ケーブルアウタ（１０１Ａ、１０２Ａ）と前記芯線（１０１Ｂ、１０２Ｂ）との間の隙間を塞ぐ防水シール（１３１）を設けたことを特徴とする請求項５に記載の鞍乗り型車両の操作部構造。
【請求項９】
前記スロットルハウジング（６６）は、前記スロットルケーブル（１０１、１０２）が挿入されるケーブル用開口（６５Ｈ）を有し、前記ケーブル用開口（６５Ｈ）と前記スロットルケーブル（１０１、１０２）との間の隙間を塞ぐシール部材（１３３）を設けたことを特徴とする請求項１〜５、７、８のいずれか一項に記載の鞍乗り型車両の操作部構造。
【発明の詳細な説明】
【技術分野】
【０００１】
本発明は、スロットルグリップの操作に応じてスロットルバルブを作動させるスロットルケーブルと、スロットルケーブルを保持するスロットルハウジングとを備える鞍乗り型車両の操作部構造に関する。
【背景技術】
【０００２】
自動二輪車等の鞍乗り型車両には、ハンドルパイプに相対回転可能に組みつけられるスロットルグリップと、内燃機関に供給される空気量を調整するスロットルバルブと、スロットルグリップの操作に応じてスロットルバルブを作動させるスロットルケーブルと、スロットルケーブルを保持するスロットルハウジングとを備えた構造が知られている。
この種の構造には、スロットルバルブを開き側・閉じ側に作動させる２本のスロットルケーブルを備えるとともに、スロットルハウジングを車幅方向に２分割し、一方のスロットルハウジングに両スロットルケーブルのアウターケーブルを挟持し、他方のスロットルハウジングを被せるものが提案されている（例えば、特許文献１参照）。
【先行技術文献】
【特許文献】
【０００３】
【特許文献１】特開２０１３−７３２１号公報
【発明の概要】
【発明が解決しようとする課題】
【０００４】
ところで、スロットルケーブルは、スロットルグリップの回動方向に沿わせて屈曲して配索する必要がある。上記の従来技術では、スロットルケーブルのアウターケーブルを含めてスロットルハウジング内で屈曲させるため、アウターケーブルの屈曲率の制約により、大きく屈曲させることが困難である。そのため、スロットルケーブルの取り回しの自由度の向上が望まれている。
また、スロットルケーブルを簡易に交換できることも臨まれており、ユーザーによっては１本ずつ交換したい要望もある。【０００５】
本発明は、上述した事情を鑑みてなされたものであり、スロットルケーブルの取り回しの自由度を向上するとともに、ケーブル交換等のメンテナンス作業を容易に行うことができる鞍乗り型車両の操作部構造を提供することを目的としている。
【課題を解決するための手段】
【０００６】
上述した課題を解決するため、本発明は、ハンドルパイプ（１２Ａ）に相対回転可能に組みつけられるスロットルグリップ（６５）と、内燃機関（１４）に供給される空気量を調整するスロットルバルブ（４５Ｖ）と、芯線（１０１Ｂ、１０２Ｂ）と芯線（１０１Ｂ、１０２Ｂ）を覆うケーブルアウタ（１０１Ａ、１０２Ａ）とを有し、芯線（１０１Ｂ、１０２Ｂ）の一側端部がスロットルグリップ（６５）に固定されるとともに、他側端部が前記スロットルバルブ（４５Ｖ）に固定され、前記スロットルグリップ（６５）の操作に応じて芯線（１０１Ｂ、１０２Ｂ）が引かれることにより前記スロットルバルブ（４５Ｖ）を作動させるスロットルケーブル（１０１、１０２）と、前記スロットルケーブル（１０１、１０２）を保持するスロットルハウジング（６６）とを備える鞍乗り型車両の操作部構造において、前記スロットルハウジング（６６）は、前記スロットルグリップ（６５）の一部を挟持し前記ハンドルパイプ（１２Ａ）に固定される分割構成であり、前記スロットルハウジング（６６）に挟持され、前記ケーブルアウタ（１０１Ａ、１０２Ａ）から引き出された芯線（１０１Ｂ、１０２Ｂ）の屈曲部（１０１Ｃ、１０２Ｃ）をガイドするスライダ（９０）と、前記スライダ（９０）に設けられるとともに、前記スロットルケーブル（１０１、１０２）の長手方向の移動を規制し、前記スロットルケーブル（１０１、１０２）を当該スライダ（９０）から分離可能に構成したケーブル保持部（９１、９２）を設けたことを特徴とする。
この構成によれば、ケーブルアウタを屈曲させる場合と較べて、スロットルケーブルの取り回しの自由度を向上するとともに、スロットルケーブルを容易に分離でき、ケーブル交換等のメンテナンス作業を容易に行うことが可能になる。【０００７】
上記構成において、前記スロットルケーブル（１０１、１０２）は、前記スロットルグリップ（６５）の開操作に応じて前記スロットルバルブ（４５Ｖ）を開き側に作動させる開き側ケーブル（１０１）と、前記スロットルグリップ（６５）の閉操作に応じて前記スロットルバルブ（４５Ｖ）を閉じ側に作動させる閉じ側ケーブル（１０２）とを備え、該２本のケーブル（１０１、１０２）が、前記スライダ（９０）の前記ケーブル保持部（９１、９２）に保持されるようにしても良い。
この構成によれば、２本のスロットルケーブルを１本単位で交換することができ、メンテナンスに関わるコスト低減を図ることができる。【０００８】
また、上記構成において、前記ケーブル保持部（９１、９２）は、前記ケーブルアウタ（１０１Ａ、１０２Ａ）の端部を保持するとともに前記ケーブルアウタ（１０１Ａ、１０２Ａ）の端部を抜く際に前記ケーブルアウタ（１０１Ａ、１０２Ａ）の径方向に拡がる変形部（１１１）を有し、前記スロットルハウジング（６６）は、前記変形部（１１１）を挟持して径方向への拡がりを規制するようにしても良い。
この構成によれば、スロットルハウジングの挟持力を利用してケーブルアウタの抜けを効率良く防止することができ、かつ、スロットルハウジングを外せば、ケーブルアウタを容易に取り外すことができる。【０００９】
また、上記構成において、前記ケーブルアウタ（１０１Ａ、１０２Ａ）の端部に、前記ケーブルアウタ（１０１Ａ、１０２Ａ）の外径よりも大きい外径のエンドキャップ（１２０）を設け、前記ケーブル保持部（９１、９２）は、前記エンドキャップ（１２０）とともに前記ケーブルアウタ（１０１Ａ、１０２Ａ）が挿入される嵌合穴部（１１０）を有し、この嵌合穴部（１１０）の挿入側端部（１１１）は、前記エンドキャップ（１２０）の外径より小さい穴径に形成されるとともにケーブル長手方向に沿うスリット（１１３）が設けられて拡径可能に形成され、前記スロットルハウジング（６６）が前記嵌合穴部（１１０）を挟持することによって、前記ケーブル保持部（９１、９２）の径方向への拡がりを規制するようにしても良い。
この構成によれば、簡易な構造で、ケーブルアウタの保持と組み付け性の容易化を実現することができ、コスト低減を図ることができる。【００１０】
また、上記構成において、前記スロットルグリップ（６５）に、グリップ回転方向に面を持つストッパ部（６５Ｃ１、６５Ｃ２）を設け、前記スライダ（６５）に、前記ストッパ部（６５Ｃ１、６５Ｃ２）が当接して前記スロットルグリップ（６５）の回転範囲を規制するストッパ受け部（９６、９７）を設けるようにしても良い。
この構成によれば、当接により発生する荷重を、スライダを介してスロットルハウジング全体で受けることができ、スロットルハウジングの剛性を最適化し、軽量化を図ることができる。【００１１】
また、上記構成において、前記ストッパ部（６５Ｃ１、６５Ｃ２）及びストッパ受け部（９６、９７）の当接面は、前記スロットルグリップ（６５）の回転中心（Ｃ１）から径方向に延びる面に沿って形成されるようにしても良い。
この構成によれば、当接面全体で荷重を受けることができ、当接面の剛性を最適化し、軽量化を図るとともに良好な作動性を実現できる。【００１２】
また、上記構成において、前記スライダ（９０）と前記スロットルハウジング（６６）とを複数箇所で位置決めする位置決め係合部（９５、８３）を設け、前記スロットルグリップ（６５）の非作動状態では、前記位置決め係合部（９５、８３）以外で前記スライダ（９０）と前記スロットルハウジング（６６）とが離間するようにしても良い。
この構成によれば、スライダからスロットルハウジングに伝達される荷重を適切に制御でき、スロットルハウジングの剛性を最適化でき、軽量化を図ることができる。【００１３】
また、上記構成において、前記エンドキャップ（１２０）に、前記ケーブルアウタ（１０１Ａ、１０２Ａ）と前記芯線（１０１Ｂ、１０２Ｂ）との間の隙間を塞ぐ防水シール（１３１）を設けるようにしても良い。
この構成によれば、芯線への雨水等の浸入を抑制し、耐久性を向上することができる。【００１４】
また、上記構成において、前記スロットルハウジング（６６）は、前記スロットルケーブル（１０１、１０２）が挿入されるケーブル用開口（６５Ｈ）を有し、前記ケーブル用開口（６５Ｈ）と前記スロットルケーブル（１０１、１０２）との間の隙間を塞ぐシール部材（１３３）を設けるようにしても良い。
この構成によれば、スロットルハウジング内への雨水・塵等の侵入を抑制し、耐久性を向上することができる。
【発明の効果】
【００１５】
本発明は、分割構成されたスロットルハウジングに挟持され、スロットルケーブルのケーブルアウタから引き出された芯線の屈曲部をガイドするスライダと、前記スライダに設けられるとともに、前記スロットルケーブルの長手方向の移動を規制し、前記スロットルケーブルを当該スライダから分離可能に構成したケーブル保持部を設けたので、スロットルケーブルの取り回しの自由度を向上するとともに、ケーブル交換等のメンテナンス作業を容易に行うことができる。
また、前記スロットルケーブルは、前記スロットルグリップの開操作に応じてスロットルバルブを開き側に作動させる開き側ケーブルと、前記スロットルグリップの閉操作に応じてスロットルバルブを閉じ側に作動させる閉じ側ケーブルとを備え、該２本のケーブルが、前記スライダの前記ケーブル保持部に保持されるようにすれば、２本のスロットルケーブルを１本単位で交換することができる。【００１６】
また、前記ケーブル保持部は、前記ケーブルアウタの端部を保持するとともに前記ケーブルアウタの端部を抜く際に前記ケーブルアウタの径方向に拡がる変形部を有し、前記スロットルハウジングは、前記変形部を挟持して径方向への拡がりを規制するようにすれば、スロットルハウジングの挟持力を利用してケーブルアウタの抜けを効率良く防止することができ、かつ、スロットルハウジングを外せば、ケーブルアウタを容易に取り外すことができる。
また、前記ケーブルアウタの端部に、前記ケーブルアウタの外径よりも大きい外径のエンドキャップを設け、前記ケーブル保持部は、前記エンドキャップとともに前記ケーブルアウタが挿入される嵌合穴部を有し、この嵌合穴部の挿入側端部は、前記エンドキャップの外径より小さい穴径に形成されるとともにケーブル長手方向に沿うスリットが設けられて拡径可能に形成され、前記スロットルハウジングが前記嵌合穴部を挟持することによって、前記ケーブル保持部の径方向への拡がりを規制するようにすれば、簡易な構造で、ケーブルアウタの保持と組み付け性の容易化を実現することができる。【００１７】
また、前記スロットルグリップに、グリップ回転方向に面を持つストッパ部を設け、前記スライダに、前記ストッパ部が当接して前記スロットルグリップの回転範囲を規制するストッパ受け部を設けるようにすれば、当接により発生する荷重を、スライダを介してスロットルハウジング全体で受けることができる。
また、前記ストッパ部及びストッパ受け部の当接面は、前記スロットルグリップの回転中心から径方向に延びる面に沿って形成されるようにすれば、当接面全体で荷重を受けることができる。【００１８】
また、前記スライダと前記スロットルハウジングとを複数箇所で位置決めする位置決め係合部を設け、前記スロットルグリップの非作動状態では、前記位置決め係合部以外で前記スライダと前記スロットルハウジングとが離間するようにすれば、スライダからスロットルハウジングに伝達される荷重を適切に制御できる。
また、前記エンドキャップに、前記ケーブルアウタと前記芯線との間の隙間を塞ぐ防水シールを設けるようにすれば、芯線への雨水等の浸入を抑制し、耐久性を向上することができる。【００１９】
また、前記スロットルハウジングは、前記スロットルケーブルが挿入されるケーブル用開口を有し、前記ケーブル用開口と前記スロットルケーブルとの間の隙間を塞ぐシール部材を設けるようにすれば、スロットルハウジング内への雨水・塵等の侵入を抑制し、耐久性を向上することができる。
【図面の簡単な説明】
【００２０】
【図１】図１は本発明の実施の形態に係る自動二輪車の左側面図である。
【図２】図２はハンドルを周辺構成と共に上方から見た図である。
【図３】図３はハンドルの右端部を周辺構成と共に車体後方から見た図である。
【図４】図４はスロットルハウジングを周辺構成と共に示した分解斜視図である。
【図５】図５（Ａ）はスロットルハウジングを内部構造と共に示した図であり、図５（Ｂ）は図５（Ａ）のＸ−Ｘ断面図である。
【図６】図６はケーブル巻き掛け部を芯線と共に示した側断面図である。
【図７】図７（Ａ）はスライダの斜視図であり、図７（Ｂ）はスライダを車幅方向外側から見た図である。
【図８】図８（Ａ）はスライダを車体後方側から見た図であり、図８（Ｂ）はスライダを車幅方向内側から見た図である。
【図９】図９（Ａ）は芯線ガイド部とケーブル巻き掛け部とを組んだ状態の斜視図であり、図９（Ｂ）はその一部を拡大した斜視図である。
【図１０】図１０（Ａ）はハウジング半体を示し、図１０（Ｂ）はハウジング半体にスライダを配置した図であり、図１０（Ｃ）は図１０（Ｂ）のＹ−Ｙ断面図である。
【図１１】図１１（Ａ）はケーブル保持部の断面構造をスロットルハウジングと共に示した図であり、図１１（Ｂ）はケーブルアウタの端部構造を示した図であり、図１１（Ｃ）はケーブル保持部の動作を示した図である。
【図１２】図１２（Ａ）はエンドキャップに防水シールを設けた態様を示した図であり、図１２（Ｂ）はスロットルハウジングにシール部材を設けた態様を示した図である。
【発明を実施するための形態】
【００２１】
以下、図面を参照して本発明の一実施の形態について説明する。なお、説明中、前後左右及び上下といった方向の記載は、特に記載がなければ車体に対する方向と同一とする。
【００２２】
図１は、本発明の実施の形態に係る自動二輪車の左側面図である。
図１に示すように、自動二輪車１０は、車体フレーム１１と、車体フレーム１１に操舵自在に支持されたハンドル１２によって操向される前輪１３と、車体フレーム１１に支持されたエンジン（内燃機関）１４と、車体フレーム１１にスイングアーム１５を介して支持された後輪１６と、前輪１３と後輪１６との間に配置される乗員シート１７とを有し、この乗員シート１７に乗員が跨って乗車する鞍乗り型車両である。
【００２３】
図２は、ハンドル１２を周辺構成と共に上方から見た図であり、図３は、ハンドル１２の右端部を周辺構成と共に車体後方から見た図である。
図１〜図３に示すように、車体フレーム１１は、ハンドル１２を支持するステアリング軸（不図示）を回動自在に支持するヘッドパイプ２１と、ヘッドパイプ２１から後下がりに延出するメインフレーム２２と、メインフレーム２２の後部から後上がりに延出するシートレール２３と、メインフレーム２２の後部から下方に延出する左右一対のピボットプレート２４とを有している。
ステアリング軸の下部には、左右一対のフロントフォーク２５が連結され、両フロントフォーク２５の下部間に前輪１３が支持される。左右一対のピボットプレート２４は、スイングアーム１５を上下に揺動自在に支持し、このスイングアーム１５の後端部に後輪１６が支持される。このスイングアーム１５とシートレール２３との間には、リヤクッション２６が介挿される。
【００２４】
この自動二輪車１０は、樹脂製の車体カバー３０で覆われる。車体カバー３０は、自動二輪車１０の前部を覆うフロントカバー３１と、自動二輪車１０の側面を覆う左右一対のサイドカバー３２と、フロントカバー３１と乗員シート１７の間を覆うセンターカバー３３とを有している。
フロントカバー３１は、左右に張り出して乗員の両足の前方を覆うレッグシールドとしても機能する。センターカバー３３は、メインフレーム２２近傍をメインフレーム２２に沿って延出し、フロントカバー３１と乗員シート１７との間に車体側面視で下方に凹む足跨ぎ空間を確保するとともにエンジン１４上方を覆う。
前輪１３の上方には、フロントフェンダ３５が配置され、ハンドル１２の車幅方向中央部分にはハンドルカバー３６が配置され、後輪１６の上方には、リヤフェンダ３７が配置される。
【００２５】
エンジン１４は、メインフレーム２２に支持される。このエンジン１４は、シリンダ軸線４１が前後方向に略水平に延びる単気筒の水平エンジンであり、後方側から順に、クランクケース４２、シリンダブロック４３、及び、シリンダヘッド４４を有している。
シリンダヘッド４４上面には、吸気口４４Ａが設けられ、シリンダヘッド４４下面には、排気口４４Ｂが設けられる。吸気口４４Ａには、スロットルボディ４５が連結され、このスロットルボディ４５の上流端に不図示のエアクリーナボックスが連結される。
【００２６】
スロットルボディ４５は、エンジン１４に供給される空気量を調整するスロットルバルブ４５Ｖを備えている。スロットルバルブ４５Ｖは、２本のスロットルケーブル１０１、１０２（図２、図３参照）を介してハンドル１２の右端部に設けられたスロットルグリップ６５（図２、図３参照）に連結され、スロットルグリップ６５の操作（スロットル操作）に応じてスロットル開度を可変させる。これらスロットルボディ４５及びエアクリーナボックスがエンジン吸気系を構成している。
【００２７】
シリンダヘッド４４の排気口４４Ｂには、排気管４６が接続され、この排気管４６は、エンジン１４の下方を通って後方へ延出する。この排気管４６の後端には、排気マフラー４７が接続される。これら排気管４６及び排気マフラー４７がエンジン排気系を構成している。エンジン１４の左側面には、エンジン１４の出力軸４８が突出し、この出力軸４８の回転は、チェーン伝動機構４９を介して後輪１６へ伝達される。
なお、図１中、符号５０は、乗員シート１７の前部に着座する運転者（乗員）が足を置くステップであり、符号５１は、乗員シート１７の後部に着座する搭乗者（乗員）が足を置くステップである。また、図２中、符号５２はシフトペダル、符号５３はブレーキペダルである。
【００２８】
図２に示すように、ハンドル１２は、円筒状の一本の金属製のハンドルパイプ１２Ａを曲げて製作したバーハンドルである。ハンドル１２の左端部には、ハンドルパイプ１２Ａに固定されて運転者（乗員）が左手で把持するグリップ（ハンドルグリップとも言う）６１（図２参照）が装着される。また、ハンドルパイプ１２Ａの左側部分には、左手で操作する操作子を配置したスイッチボックス６２や左側のバックミラー６３も装着される。
【００２９】
図３に示すように、ハンドル１２の右端部には、ハンドルパイプ１２Ａに相対回転自在に組みつけられるスロットルグリップ６５と、このスロットルグリップ６５の幅方向内側に設けられるスロットルハウジング６６とが装着される。
スロットルハウジング６６は、スロットルグリップ６５の一部（後述するケーブル巻き掛け部６５Ａ）と共にハンドルパイプ１２Ａを挟持し、スロットルグリップ６５から延びるスロットルケーブル１０１、１０２を支持する。
また、ハンドルパイプ１２Ａの右側部分には、右手で操作するブレーキレバー６７やホーンスイッチ６８や右側のバックミラー６９も装着される。なお、図３中、符号７０は、スロットルハウジング６６をハンドルパイプ１２Ａに固定するための締結部材（本実施形態では上下一対の締結ねじ）である。また、符号７１は、ブレーキレバー６７のホルダー６７Ａをハンドルパイプ１２Ａに固定するための締結部材（本実施形態では上下一対の締結ねじ）である。
【００３０】
図２及び図３に示すように、スロットルケーブル１０１、１０２は、スロットルハウジング６６を通ってハンドル１２上方にて車幅方向内側に向けて引き出される。その後、スロットルケーブル１０１、１０２は、ハンドルパイプ１２Ａ上面に沿わせて車幅方向内側へと配索され、スロットルバルブ４５Ｖ（図１参照）に連結される。
このように、スロットルケーブル１０１、１０２をハンドル１２上方に配索することにより、外部からの雨水等はスロットルケーブル１０１、１０２を伝って下方へ落下し、ケーブルアウタ１０１Ａ、１０２Ａ内へ浸入し難くなる。また、ハンドルカバー３６を外した状態で、スロットルケーブル１０１、１０２を外部から視認し易くなるため、スロットルケーブル１０１、１０２の着脱時のメンテナンス性も向上する。
【００３１】
図３に示すように、ホーンスイッチ６８から延びる配線６８Ａは、ハンドル１２下方に配索され、スロットルケーブル１０１、１０２の取り回しを制限しない。この自動二輪車１０では、ハンドルカバー３６が、スロットルハウジング６６、スロットルハウジング６６外に露出するスロットルケーブル１０１、１０２、配線６８Ａ及びホルダー６７Ａ等を覆うので、外部からの雨水等がこれらに付着するのを効果的に防止することができる。これによって、本自動二輪車１０では、スロットルハウジング６６でのシールが不要となっている。
【００３２】
図４は、スロットルハウジング６６を周辺構成と共に示した分解斜視図である。この図４に示すように、スロットルハウジング６６は、前後方向に二分割されたハウジング半体８１、８２で形成される。ハウジング半体８１、８２は、ハンドルパイプ１２Ａを挟むように重ねられ、上下一対の締結部材７１を締結することによってハンドルパイプ１２Ａに固定される。
より具体的には、スロットルハウジング６６は、ハンドルパイプ１２Ａを挟持する凹形状に形成されたハンドルパイプ挟持部８１Ａ、８２Ａと、２本のスロットルケーブル１０１、１０２を収容する収容空間を区画するケーブル収容部８１Ｂ、８２Ｂとを一体に備え、これらを前後に半割した部品を各ハウジング半体８１、８２としている。なお、ハウジング半体８１、８２は樹脂材料で一体成形されている。但し、樹脂材料以外の他の材料を適用しても良い。
【００３３】
ハンドルパイプ挟持部８１Ａ、８２Ａは、締結部材７０を締結するための上下一対の締結部８１Ｃ及び貫通孔８２Ｃを有し、ハンドルパイプ１２Ａの上下近傍でハウジング半体８１、８２同士を結合させる。
ケーブル収容部８１Ｂ、８２Ｂは、２本のスロットルケーブル１０１、１０２のガイド部材として機能するスライダ９０を挟持するとともに、スロットルグリップ６５の一部であるケーブル巻き掛け部６５Ａを覆う。また、ケーブル収容部８１Ｂ、８２Ｂは、一端（上側左端部）にスロットルケーブル１０１、１０２が通るケーブル用開口６５Ｈを有している。
ケーブル巻き掛け部６５Ａは、２本のスロットルケーブル１０１、１０２の先端が連結され、スロットルグリップ６５の操作に応じてスロットルケーブル１０１、１０２を牽引する牽引部として機能する。
【００３４】
詳述すると、ケーブル巻き掛け部６５Ａは、スロットルグリップ６５と一体のグリップパイプ６５Ｂの基端部に一体に設けられ、一対のスロットルケーブル１０１、１０２の先端が係止される。グリップパイプ６５Ｂは、ハンドル１２に対して相対回転自在に取り付けられる部品であり、これにより、スロットルグリップ６５の回動操作に応じてケーブル巻き掛け部６５Ａが一体に回転し、スロットルケーブル１０１、１０２を巻き取り、又は、送り出す。
２本のスロットルケーブル１０１、１０２は、ケーブルアウタ（アウターケーブルとも言う）１０１Ａ、１０２Ａ内に芯線（インナーケーブルとも言う）１０１Ｂ、１０２Ｂを移動自在に挿通したプッシュプルケーブルに構成されている。
【００３５】
図５（Ａ）は、スロットルハウジング６６の内部構造を示した図であり、図５（Ｂ）は、図５（Ａ）のＸ−Ｘ断面図である。
図５（Ａ）及び図５（Ｂ）に示すように、ケーブル巻き掛け部６５Ａは、グリップパイプ６５Ｂの基端部から径方向に突出して周方向に扇状に延びる突出部６５Ｃを有し、この突出部６５Ｃに間隔を空けて一対の係止穴部６５Ｄ、６５Ｅが設けられている。
同図５（Ａ）に示すように、２本のスロットルケーブル１０１、１０２は、ケーブルアウタ１０１Ａ、１０２Ａから芯線１０１Ｂ、１０２Ｂが引き出され、この引き出された芯線１０１Ｂ、１０２Ｂがスライダ９０に支持される。
芯線１０１Ｂ、１０２Ｂは、スライダ９０によってケーブル巻き掛け部６５Ａに向けて略９０度屈曲した屈曲部１０１Ｃ、１０２Ｃを形成するようにガイドされることによって、ケーブル巻き掛け部６５Ａへ案内される。
この場合、芯線１０１Ｂ、１０２Ｂは、ケーブルアウタ１０１Ａ、１０２Ａよりも屈曲させ易いので、ケーブルアウタ１０１Ａ、１０２Ａを湾曲させる場合よりも大きく曲げることができ、コンパクト化することができる。これにより、スロットルハウジング６６全体のコンパクト化を図り、ハンドルカバー３６内の限られたスペースに配置することが可能になる。
【００３６】
図６は、ケーブル巻き掛け部６５Ａを芯線１０１Ｂ、１０２Ｂと共に示した側断面図である。
図６に示すように、一方（後側）のスロットルケーブル１０１の芯線１０１Ｂは、スロットルグリップ６５の後方を通り、先端に設けられたコマ（タイコ）１０１Ｋが係止穴部６５Ｄに係止される。このため、スロットルグリップ６５がスロットル開き側（図６中、矢印αで示す方向）に回動操作された場合に、このスロットルケーブル１０１の芯線１０１Ｂが牽引され、この芯線１０１Ｂの他端に連結されたスロットルバルブ４５Ｖを開き側に作動させる。すなわち、このスロットルケーブル１０１は、スロットルバルブ４５Ｖを開き側に作動させる開き側ケーブルとして機能する。
また、同図６に示すように、他方（後側）のスロットルケーブル１０２の芯線１０２Ｂは、スロットルグリップ６５の前方を通り、先端に設けられたコマ１０２Ｋが係止穴部６５Ｅに係止される。このため、スロットルグリップ６５がスロットル閉じ側（図６中、矢印αの反対方向）に回動操作された場合に、このスロットルケーブル１０２の芯線１０２Ｂが牽引され、この芯線１０２Ｂの他端に連結されたスロットルバルブ４５Ｖを閉じ側に作動させる。すなわち、このスロットルケーブル１０２は、スロットルグリップ６５を閉じ側に作動させる閉じ側ケーブルとして機能する。
【００３７】
図７（Ａ）は、スライダ９０の斜視図であり、図７（Ｂ）は、スライダ９０を車幅方向外側から見た図である。また、図８（Ａ）は、スライダ９０を車体後方側から見た図であり、図８（Ｂ）は、スライダ９０を車幅方向内側から見た図である。
スライダ９０は、２本のスロットルケーブル１０１、１０２のケーブルアウタ１０１Ａ、１０２Ａを保持するケーブル保持部９１、９２と、ケーブルアウタ１０１Ａ、１０２Ａから引き出された芯線１０１Ｂ、１０２Ｂを屈曲部１０１Ｃ、１０２Ｃを形成するようにガイドする芯線ガイド部９３とを備えている。
なお、スライダ９０は、ケーブル保持部９１、９２を含めて樹脂材料で一体成形されている。但し、樹脂材料以外の他の材料を適用しても良い。
【００３８】
芯線ガイド部９３は、ケーブル保持部９１、９２からケーブル巻き掛け部６５Ａに向かって湾曲状かつ末広がり状に延びるガイド本体９４と、ガイド本体９４の両側面からガイド本体９４の長手方向に間隔を空けて形成される複数（本構成では４個）の係合凸部９５と、ガイド本体９４のケーブル巻き掛け部６５Ａ側の端部に設けられた一対の足部９６、９７とを一体に備えている。
この芯線ガイド部９３は、図７（Ｂ）に示す中心面Ｍ１（スロットルハウジング６６の割面に相当）を境にした対称形状に形成されている。
【００３９】
ガイド本体９４は、このガイド本体９４の湾曲形状に沿って延びるとともにケーブル巻き掛け部６５Ａに近づくに従って互いの距離が離間する一対の凹溝（ガイド溝）９４Ａ、９４Ｂを有し、これら凹溝９４Ａ、９４Ｂによって各芯線１０１Ｂ、１０２Ｂをガイドする。
凹溝９４Ａ、９４Ｂは、上方に開放するとともに下方に行くに従って溝幅が狭くなるＶ字溝に形成される（図５（Ｂ）参照）。このため、芯線１０１Ｂ、１０２Ｂを凹溝９４Ａ、９４Ｂから上方に容易に着脱でき、かつ、凹溝９４Ａ、９４Ｂ内の芯線１０１Ｂ、１０２Ｂのずれ（溝幅方向へのずれ）を抑えて適切にガイドすることができる。
このガイド本体９４によって一対の芯線１０１Ｂ、１０２Ｂがガイドされるので、図７（Ｂ）に示すように、ガイド本体９４からスロットルグリップ６５の回動方向に沿わせて容易に引き回すことができ、ケーブル巻き掛け部６５Ａに容易に巻き掛けることができる。
【００４０】
ガイド本体９４の一対の足部９６、９７は、一対の凹溝９４Ａ、９４Ｂの外側に設けられる。これら一対の足部９６、９７は、スロットルグリップ６５が初期位置やフルスロットル位置に回転した場合に、ケーブル巻き掛け部６５Ａが各々当接するストッパ受け部として機能する。以下、具体的に説明する。
図９（Ａ）は、芯線ガイド部９３とケーブル巻き掛け部６５Ａとを組んだ状態の斜視図であり、図９（Ｂ）はその一部を拡大した図である。これら図に示すように、ガイド本体９４の一対の足部９６、９７は、グリップパイプ６５Ｂの基端部の外周側に位置し、ケーブル巻き掛け部６５Ａの移動経路に臨む。
【００４１】
図９（Ａ）及び図９（Ｂ）では、スロットルグリップ６５に戻しトルクをかけて通常のスロットル全閉位置よりも更に強制回転させた状態を示している。このように強制回転させた場合には、ケーブル巻き掛け部６５Ａの周方向一端である突出部６５Ｃの一側端部６５Ｃ１が、スライダ９０の一方の足部９６に当接し、ケーブル巻き掛け部６５Ａ及びスロットルグリップ６５のそれ以上の閉じ側への回転が規制される。なお、通常のスロットル全閉位置とは、スロットルバルブ４５Ｖが全閉となってそれ以上の回転が規制されたときのスロットルグリップ６５の停止位置である。
一方、スロットルグリップ６５を通常のスロットル全開位置よりも更に強制回転させた場合には、ケーブル巻き掛け部６５Ａの周方向他端である突出部６５Ｃの他側端部６５Ｃ２（図６参照）が、スライダ９０の他方の足部９７に当接し、ケーブル巻き掛け部６５Ａ及びスロットルグリップ６５のそれ以上の開き側への回転が規制される。なお、通常のスロットル全開位置とは、スロットルバルブ４５Ｖが全開となってそれ以上の回転が規制されたときのスロットルグリップ６５の停止位置である。
【００４２】
すなわち、突出部６５Ｃの一側端部６５Ｃ１、及び、スライダ９０の一方の足部９６が、スロットル閉回転側に面を持つストッパ部及びストッパ受け部として機能し、スロットルグリップ６５の閉じ側にオーバートルクが作用した場合に、スロットルグリップ６５の閉じ側の回転範囲を規制することができる。
また、突出部６５Ｃの他側端部６５Ｃ２、及び、スライダ９０の他方の足部９７が、スロットル開回転側に面を持つストッパ部及びストッパ受け部として機能し、スロットルグリップ６５の開き側にオーバートルクが作用した場合に、スロットルグリップ６５の開き側の回転範囲を規制することができる。
【００４３】
また、図６に示すように、上記ストッパ部及びストッパ受け部の当接面は、スロットルグリップ６５の回転中心Ｃ１から径方向に延びる面に沿う面に形成されている。このため、各当接面が、スロットルグリップ６５の回転方向と直交する面となり、面全体で荷重を受けることができる。これにより、当接面の剛性を効率良く確保でき、剛性向上のための特別な部品が不要となり、軽量化を図るとともに良好な作動性を実現することができる。
【００４４】
ここで、スロットルハウジング６６は、前後方向に二分割されるため、ハウジング半体８１、８２の型割方向が前後方向（図６中、矢印βで示す方向）になる。仮に、ハウジング半体８１、８２に上記ストッパ受け部を一体成形で構築しようとした場合、アンダーカットが発生してしまうので、成形工程が複雑化し、コスト低減に不利である。本構成では、ハウジング半体８１、８２にストッパ受け部を一体に形成しないため、アンダーカットが発生せず、コスト低減に有利である。
【００４５】
なお、図９（Ａ）及び図９（Ｂ）において、符号６５Ｆ、６５Ｇは、ケーブル巻き掛け部６５Ａの突出部６５Ｃの外周面に設けられ、各芯線１０１Ｂ、１０２Ｂを通して一対の係止穴部６５Ｄ、６５Ｅに各々案内する切り欠き溝である。
このように、スライダ９０から延びる各芯線１０１Ｂ、１０２Ｂを、突出部６５Ｃの外周面に開口する切り欠き溝６５Ｆ、６５Ｇに入れるので、外観から視認し易く、各芯線１０１Ｂ、１０２Ｂを容易に着脱できる。
【００４６】
次に、スライダ９０の係合凸部９５及びその周辺構造を説明する。
図１０（Ａ）は、スライダ９０を挟持するスロットルハウジング６６のハウジング半体８１を示す図であり、図１０（Ｂ）は、ハウジング半体８１にスライダ９０を配置した図であり、図１０（Ｃ）は、図１０（Ｂ）のＹ−Ｙ断面図である。
ハウジング半体８１は、スライダ９０の係合凸部９５が各々係合する被係合凹部８３を備えている。また、図１０に示されないハウジング半体８２にも、スライダ９０の係合凸部９５が各々係合する被係合凹部８３（図１０（Ｃ）参照）を備えている。
このように、スライダ９０の複数（４個）の係合凸部９５が、ハウジング半体８１、８２に設けた被係合凹部８３に各々係合するので、この係合した４箇所によって、スライダ９０とスロットルハウジング６６とが位置決めされる。つまり、スライダ９０の係合凸部９５とスロットルハウジング６６の被係合凹部８３とによって、スライダ９０とスロットルハウジング６６とを位置決めする位置決め係合部が形成される。
【００４７】
また、スライダ９０の芯線ガイド部９３は、スロットルハウジング６６の内形状（ケーブル収容部８１Ｂ、８２Ｂの内形状に相当）よりも若干小さい外形状に形成されている。このため、上記位置決め係合部（係合凸部９５、被係合凹部８３）以外では、芯線ガイド部９３とスロットルハウジング６６とが離間しており、図１０（Ｃ）に示すように、上記位置決め係合部（係合凸部９５、被係合凹部８３）の周囲でスライダ９０とスロットルハウジング６６とが離間する。
すなわち、本構成では、複数の位置決め係合部（係合凸部９５、被係合凹部８３）でスライダ９０とスロットルハウジング６６との位置決めを基本的に行い、スロットルグリップ６５が非作動状態では、位置決め係合部以外でスライダ９０とスロットルハウジング６６とが離間する。
【００４８】
このようにスライダ９０とスロットルハウジング６６とが離間するため、スロットルグリップ６５が強い操作力で操作され、スライダ９０の足部９６、９７に所定値以上の荷重が作用した場合には、スライダ９０が荷重を受けた足部９６、９７側から変形してスロットルハウジング６６に当接する。このため、所定値以上の荷重が作用した場合は、スロットルハウジング６６全体が軽微な変形をすることにより、スライダ９０からの荷重を受け止めることができる。
この構成によれば、スロットルハウジング６６に荷重が伝達される箇所が明確になることから、スロットルハウジング６６の剛性を最適化し易く、軽量化を図るとともにスロットルハウジング６６を開き難くすることができる。
また、スライダ９０が足部９６、９７側から変形するので、スロットルハウジング６６の下部に荷重が伝達されることになる。本構成では、スロットルハウジング６６の下部が、ハンドルパイプ挟持部８１Ａ、８２Ａに近いので剛性が比較的高く、スロットルハウジング６６の変形を抑え易い。
【００４９】
さらに、ハウジング半体８１、８２は、図６に示すように、スライダ９０の足部９６、９７と係合凸部９５との間に形成された一対のスライダ溝９０Ｍに係合する一対のリブ８５も一体に有している。これら一対のリブ８５は、スライダ溝９０Ｍに係合することによって、足部９６、９７に作用するスロットルグリップ操作力をスロットルハウジング６６でも受ける。
上記したように、本構成では、スライダ９０が荷重を受けた足部９６、９７側から変形するので、足部９６、９７からスロットルハウジング６６に設けた一対のリブ８５に荷重が伝達されることになる。このため、リブ８５によって強度が局所的に高い箇所で荷重を受けることができ、スロットルハウジング６６の剛性を適切に確保することができる。
【００５０】
続いて、スライダ９０のケーブル保持部９１、９２を説明する。
なお、ケーブル保持部９１、９２は、同構造であるため、以下、ケーブル保持部９２を説明し、ケーブル保持部９１の重複する説明は省略する。
図１１（Ａ）は、ケーブル保持部９２の断面構造をスロットルハウジング６６と共に示した図であり、図１１（Ｂ）は、ケーブルアウタ１０２Ａの端部構造を示した図であり、図１１（Ｃ）は、ケーブル保持部９２の動作を示した図である。
図１１（Ａ）に示すように、ケーブル保持部９２は、ケーブルアウタ１０２Ａの端部が各々挿入される嵌合穴部１１０を有する筒形状に形成されている。この嵌合穴部１１０の挿入側端部１１１は、ケーブルアウタ１０２Ａの端部に装着されるエンドキャップ１２０の外形（値Ｒ１）より小さい穴径（値ｒ１）に形成されている（Ｒ１＞ｒ１）。
【００５１】
より具体的には、ケーブル保持部９２は、スライダ９０の芯線ガイド部９３からケーブルアウタ１０２Ａの長手方向に沿って一定の内径（値ｒ２）で筒状に延びる筒部本体１１２と、筒部本体１１２の先端から上記穴径（値ｒ１）に徐々に縮径した後、先端に向けて拡径する傾斜面１１１Ｋが形成された筒状の挿入側端部１１１と、筒部本体１１２の基端にて内周側に延び、エンドキャップ１２０のそれ以上の挿入を規制する鍔部１１４とを一体に備えている。
さらに、このケーブル保持部９２には、少なくとも挿入側端部１１１を横断してケーブルアウタ１０２Ａの長手方向に延びるスリット１１３（図８（Ｂ）参照）が形成されている。このスリット１１３を設けることにより、挿入側端部１１１が周方向に分割され、各分割片１１１Ａがケーブルアウタ１０２Ａの径方向に弾性変形し易くなる。
このため、エンドキャップ１２０が装着されたケーブルアウタ１０２Ａをケーブル保持部９２に挿入し、または、抜く際には、各分割片１１１Ａがエンドキャップ１２０の外径以上に拡がり、抜き差しし易くなる。すなわち、挿入側端部１１１（分割片１１１Ａ）は、ケーブルアウタ１０１Ａの端部を抜く際に径方向に拡がる変形部として機能している。
【００５２】
本実施形態では、図８（Ｂ）に示すように、周方向に間隔を空けて複数（２個）のスリット１１３が設けられており、これらスリット１１３が、筒部本体１１２まで延在することによって、各分割片１１１Ａが径方向により拡がり易く形成されている。
また、同図８（Ｂ）に示すように、これらスリット１１３は、スライダ９０の凹溝（ガイド溝）９４Ａ、９４Ｂと異なる方向に設けられる。より具体的には、スリット１１３は、ケーブルアウタ１０１Ａの芯線１０１Ｂを基準にして、隣接する他のケーブル保持部９１側と、斜め下方側とに設けられている。
このうちの１つのスリット（隣接する他のケーブル保持部９１側のスリット）１１３は、ケーブル保持部９２全体を横断し、ケーブル保持部９２と凹溝９４Ｂとの間に設けられた連通用開口部１１５（図７（Ａ）参照）を介して凹溝９４Ｂと連通する。
【００５３】
このように、ケーブル保持部９２のスリット１１３と凹溝９４Ｂとが互いに連通するため、ケーブルアウタ１０２Ａから引き出された芯線１０２Ｂを、スリット１１３及び凹溝９４Ｂ内に容易に挿入・取り出し可能である。
また、互いに連通するスリット１１３と凹溝９４Ｂとが異なる方向に開放するので、芯線１０２Ｂを抜け難くすることができ、サブアッセンブリし易くなる。しかも、仮にケーブル保持部９２側から雨水が浸入したとしても、凹溝９４Ｂに流れ難くなる。
なお、図７（Ａ）からも判るように、この連通用開口部１１５は、ケーブル保持部９２と凹溝９４Ｂとを連通させるだけでなく、ケーブル保持部９１と凹溝９４Ａとを連通させる。このため、ケーブルアウタ１０２Ａから引き出された芯線１０１Ｂを、スリット１１３及び凹溝９４Ａ内に容易に挿入・取り出し可能である。
【００５４】
図１１（Ｂ）に示すように、エンドキャップ１２０は、ケーブルアウタ１０２Ａの端部に被せる筒状部品である。このエンドキャップ１２０は、一端が、ケーブルアウタ１０２Ａの端部が入る大径の開口部１２１に形成され、他端が、芯線１０２Ｂを通す小径の開口部１２２を空けて閉塞する閉塞端部１２３に形成されている。
このエンドキャップ１２０は、金属材料で形成され、ケーブルアウタ１０２Ａの端部に被せた後に圧縮工具で圧縮されることによって、いわゆるかしめによってケーブルアウタ１０２Ａに固定される。なお、かしめによって固定する方法に限らず、嵌合や摩擦係合によって固定しても良い。また、金属材料に限らず、他の材料を適用しても良い。
【００５５】
図１１（Ａ）に示すように、スロットルハウジング６６は、このスライダ９０のケーブル保持部９２を覆う部分が、ケーブル保持部９２の外周面に当接する当接部６６Ｔに形成されている。
このため、スロットルハウジング６６内にスライダ９０を装着した場合には、この当接部６６Ｔがケーブル保持部９２の外周面に当接し、ケーブル保持部９２の挿入側端部１１１の径方向の拡がりを規制する。これによって、エンドキャップ１２０がケーブル保持部９２から抜けなくなり、ケーブルアウタ１０２Ａの長手方向の移動を規制することができる。
一方、スロットルハウジング６６を取り外した場合には、ケーブル保持部９２の径方向の拡がりが規制されなくなるので、エンドキャップ１２０とともにケーブルアウタ１０２Ａを引き抜くことができる。つまり、ケーブルアウタ１０２Ａを引き抜く方向に引っ張れば、図１１（Ｃ）に示すように、ケーブル保持部９２の挿入側端部１１１が、エンドキャップ１２０により押し拡げられて径方向に拡がり、ケーブル保持部９２から容易に引き抜くことが可能になる。
【００５６】
以上の構成により、スロットルケーブル１０２を装着する場合は、まず、ケーブルアウタ１０２Ａの端部にエンドキャップ１２０を装着し、エンドキャップ１２０とともにケーブルアウタ１０２Ａの端部を、スライダ９０のケーブル保持部９２の嵌合穴部１１０に挿入する。なお、芯線１０２Ｂについては、事前にケーブルアウタ１０２Ａから引き出して、スライダ９０の凹溝９４Ｂに配索しておけば良い。
この場合、ケーブル保持部９２の挿入側端部１１１の先端には、先端に向けて拡径する傾斜面１１１Ｋが設けられているので、ケーブルアウタ１０２Ａの挿入に応じて挿入側端部１１１が径方向に容易に拡がり、ケーブルアウタ１０２Ａを容易に挿入することができる。
また、ケーブルアウタ１０２Ａの端部を挿入していくと、図１１（Ａ）に示すように、エンドキャップ１２０が嵌合穴部１１０の奥に設けられた鍔部１１４に当接し、それ以上の挿入を規制することができる。この規制した位置は、エンドキャップ１２０がケーブル保持部９２の挿入側端部１１１を通過した位置に設定されている。このため、挿入側端部１１１が閉じてエンドキャップ１２０を含めたケーブルアウタ１０２Ａが抜け難くなる。これにより、ケーブルアウタ１０２Ａをスライダ９０に仮固定することができる。
【００５７】
続いて、芯線１０２Ｂの先端に設けられたコマ１０２Ｋをケーブル巻き掛け部６５Ａに取り付ける。その後、スライダ９０を、スロットルハウジング６６で挟持する。これにより、図１１（Ａ）に示すように、スライダ９０のケーブル保持部９２がスロットルハウジング６６に挟持され、スロットルケーブル１０２がスライダ９０から抜けず、長手方向への移動も規制することができる。以上により、スロットルケーブル１０２の装着が完了する。
なお、スロットルケーブル１０１の装着も同様である。
【００５８】
また、スロットルケーブル１０２を取り外す場合には、スロットルハウジング６６を取り外せば、ケーブル保持部９２の径方向の拡がりが規制されなくなるので、ケーブルアウタ１０２Ａをそのまま引き抜けば、ケーブルアウタ１０２Ａをケーブル保持部９２から容易に取り外すことができる。
その後、ケーブルアウタ１０２Ａから引き出された芯線１０２Ｂを、スライダ９０及びケーブル巻き掛け部６５Ａから取り外せば、スロットルケーブル１０２が取り外される。以上により、スロットルケーブル１０２の取り外しが完了する。なお、スロットルケーブル１０１の取り外しも同様である。
【００５９】
以上説明したように、本実施形の形態では、図４に示したように、分割構成されたスロットルハウジング６６に挟持され、ケーブルアウタ１０１Ａ、１０２Ａから引き出された芯線１０１Ｂ、１０２Ｂの屈曲部１０１Ｃ、１０２Ｃをガイドするスライダ９０と、スライダ９０に設けられるとともに、スロットルケーブル１０１、１０２の長手方向の移動を規制し、各ケーブル１０１、１０２を当該スライダ９０から分離可能に構成したケーブル保持部９１、９２を設けたので、ケーブルアウタ１０１Ａ、１０２Ａを屈曲させる場合と較べて、スロットルケーブル１０１、１０２の取り回しの自由度を向上するとともに、スロットルケーブル１０１、１０２を容易に分離でき、ケーブル交換や給油等のメンテナンス作業を容易に行うことが可能になる。また、２本のスロットルケーブル１０１、１０２を１本単位で交換することができ、メンテナンスに関わるコスト低減を図ることができる。
【００６０】
また、ケーブル保持部９１、９２は、ケーブルアウタ１０１Ａ、１０２Ａの端部を保持するとともにケーブルアウタ１０１Ａ、１０２Ａの端部を抜く際にケーブルアウタ１０１Ａ、１０２Ａの径方向に拡がる変形部として機能する挿入側端部１１１を有し、スロットルハウジング６６は、挿入側端部１１１を挟持して径方向への拡がりを規制するので、スロットルハウジング６６の挟持力を利用してケーブルアウタ１０１Ａ、１０２Ａの抜けを効率良く防止することができる。また、スロットルハウジング６６を取り外せば、ケーブルアウタ１０１Ａ、１０２Ａを容易に取り外すことが可能である。
【００６１】
しかも、図１１（Ａ）〜図１１（Ｃ）に示したように、ケーブルアウタ１０１Ａ、１０２Ａの端部に、ケーブルアウタ１０１Ａ、１０２Ａの外径よりも大きい外径のエンドキャップ１２０を設け、ケーブル保持部９１、９２は、エンドキャップ１２０とともにケーブルアウタ１０１Ａ、１０２Ａが挿入される嵌合穴部１１０を有し、この嵌合穴部１１０の挿入側端部１１１は、エンドキャップ１２０の外径より小さい穴径に形成されるとともにケーブル長手方向に沿うスリット１１３が設けられて拡径可能に形成され、スロットルハウジング６６が嵌合穴部１１０を挟持することによって、ケーブル保持部９１、９２の径方向への拡がりを規制するので、簡易な構造で、ケーブルアウタ１０１Ａ、１０２Ａの保持と組み付け性の容易化を実現することができ、コスト低減を図ることができる。
【００６２】
また、図６に示すように、スロットルグリップ６５に、グリップ回転方向に面を持つストッパ部として機能する突出部６５Ｃの一側端部６５Ｃ１及び他側端部６５Ｃ２を設け、スライダ９０に、各ストッパ部が当接してスロットルグリップ６５の回転範囲を規制するストッパ受け部として機能する一対の足部９６、９７を設けたので、当接により発生する荷重を、スライダ９０を介してスロットルハウジング６６全体で受けることができる。これにより、スロットルハウジング６６の剛性を最適化し、軽量化を図ることができる。
しかも、上記ストッパ部及びストッパ受け部の当接面は、スロットルグリップ６５の回転中心Ｃ１から径方向に延びる面に沿って形成されるので、当接面全体で荷重を受けることができ、当接面の剛性を最適化し、軽量化を図るとともに良好な作動性を実現できる。
【００６３】
また、図１０（Ａ）〜図１０（Ｃ）に示したように、スライダ９０とスロットルハウジング６６とを複数箇所で位置決めする位置決め係合部として機能する係合凸部９５及び被係合凹部８３を設け、スロットルグリップ６５の非作動状態では、位置決め係合部（係合凸部９５、被係合凹部８３）以外でスライダ９０とスロットルハウジング６６とが離間するようにしたので、スライダ９０からスロットルハウジング６６に伝達される荷重を適切に制御でき、スロットルハウジング６６の剛性を最適化でき、軽量化を図ることができる。
【００６４】
また、本構成では、図７（Ａ）及び図８（Ｂ）等に示したように、スライダ９０は、芯線１０１Ｂ、１０２Ｂをガイドするとともに一側が開放する凹溝（ガイド溝）９４Ａ、９４Ｂを有し、スライダ９０に設けたスリット１１３の少なくとも１つは、凹溝９４Ａ、９４Ｂに連通するので、芯線１０１Ｂ、１０２Ｂを容易に挿入・取り出し可能である。
また、互いに連通する凹溝９４Ａ、９４Ｂとスリット１１３とは異なる方向に開放するので、芯線１０１Ｂ、１０２Ｂを抜け難くすることができ、サブアッセンブリし易くなるとともに、仮にスリット１１３側に雨水が浸入しても、凹溝９４Ａ、９４Ｂに流れ難くすることができる。
【００６５】
上述した実施形態は、あくまでも本発明の一態様を示すものであり、本発明の主旨を逸脱しない範囲で任意に変形及び応用が可能である。
例えば、上述の実施形態では、スロットルケーブル１０１、１０２をハンドル１２上方に配索した自動二輪車１０に本発明を適用する場合について説明したが、これに限らず、スロットルケーブル１０１、１０２をハンドル１２下方に配索した自動二輪車１０や、スロットルハウジング６６がハンドルカバー３６で覆われない自動二輪車等に本発明を広く適用可能である。
【００６６】
スロットルケーブル１０１、１０２をハンドル１２下方に配索した場合、スロットルハウジング６６内に雨水が入った場合には、雨水がスロットルケーブル１０１、１０２の芯線１０１Ｂ、１０２Ｂを伝ってケーブルアウタ１０１Ａ、１０２Ａ内へ浸入するおそれがある。これを回避するには、図１２（Ａ）に一例を示すように、エンドキャップ１２０内に、ケーブルアウタ１０２Ａと芯線１０２Ｂとの間を塞ぐ防水シール１３１を設けることが好ましい。この構成によれば、芯線１０２Ｂへの雨水等の浸入を抑制し、耐久性を向上することができる。
【００６７】
より具体的には、図１２（Ａ）では、エンドキャップ１２０内に、ケーブルアウタ１０２Ａの端面に当接するシールケース１３２を設け、このシールケース１３２とエンドキャップ１２０の鍔部１１４との間に芯線１０２Ｂとケーブルアウタ１０２Ａとの隙間を閉塞する防水シール１３１を設けるようにすれば良い。シールケース１３２を設けることにより、ケーブル装着時に防水シール１３１が損傷することを防止したり、防水シール１３１の局部的な変形を抑えてシール性を維持し易くなる。
【００６８】
また、多塵環境で使用される車両や不整地を走行するオフロード車両の場合には、図１２（Ｂ）に示すように、スロットルハウジング６６のケーブル用開口６５Ｈとスロットルケーブル１０１、１０２との間の隙間を塞ぐシール部材１３３を装着することが好ましい。この構成によれば、スロットルハウジング６６内への雨水・塵等の侵入を抑制することができ、耐久性を向上することができる。
より具体的には、本構成のスロットルハウジング６６は、スロットルケーブル１０１、１０２が挿入されるケーブル用開口６５Ｈの外周部に、溝部６５Ｍを有しており、この溝部６５Ｍにシール部材１３３の端部を引っ掛けてブーツ状のシール部材１３３を取り付ければ良い。
このシール部材１３３には、ゴム等の弾性を有する材料が用いられ、これによって、シール部材１３３を容易に装着でき、また、装着時に溝部６５Ｍに引っ掛かるので、外れ難くなる。更に、上記防水シール１３１を設けるようにしても良い。
【００６９】
また、上述の実施形態では、２本のスロットルケーブル１０１、１０２を有する自動二輪車１０に本発明を適用する場合を説明したが、１本のスロットルケーブルを有する自動二輪車にも本発明を適用可能である。
さらに、本発明は、自動二輪車１０の操作部構造に適用する場合に限らず、自動二輪車以外も含む鞍乗り型車両の操作部構造に適用可能である。なお、鞍乗り型車両とは、車体に跨って乗車する車両全般を含み、自動二輪車（原動機付き自転車も含む）のみならず、ＡＴＶ（不整地走行車両）に分類される三輪車両や四輪車両を含む車両である。
要は、スロットルグリップ６５の操作に応じてスロットルバルブ４５Ｖを作動させる１本又は複数本のスロットルケーブルと、スロットルケーブルを保持するスロットルハウジング６６とを備える車両の操作部構造に本発明を広く適用可能である。
【符号の説明】
【００７０】
１０  自動二輪車（鞍乗り型車両）
１２Ａ  前輪
１４  エンジン（内燃機関）
４５Ｖ  スロットルバルブ
６５  スロットルグリップ
６５Ｃ  突出部
６５Ｃ１  一側端部（ストッパ部）
６５Ｃ２  他側端部（ストッパ部）
６６  スロットルハウジング
８３  被係合凹部（位置決め係合部）
９０  スライダ
９１、９２  ケーブル保持部
９５  係合凸部（位置決め係合部）
９６、９７  足部（ストッパ受け部）
１０１、１０２  スロットルケーブル
１０１Ａ、１０２Ａ  ケーブルアウタ
１０１Ｂ、１０２Ｂ  芯線
１０１Ｃ、１０２Ｃ  屈曲部
１１０  嵌合穴部
１１１  挿入側端部（変形部）
１２０  エンドキャップ
１３１  防水シール
１３３  シール部材
Ｃ１  回転中心
【図１】
0005946587.tif 000002
【図２】
0005946587.tif 000003
【図３】
0005946587.tif 000004
【図４】
0005946587.tif 000005
【図５】
0005946587.tif 000006
【図６】
0005946587.tif 000007
【図７】
0005946587.tif 000008
【図８】
0005946587.tif 000009
【図９】
0005946587.tif 000010
【図１０】
0005946587.tif 000011
【図１１】
0005946587.tif 000012
【図１２】
0005946587.tif 000013